(57)【要約】      （修正有）【課題】イオン注入装置のスキャン電極の印加電圧の高圧化を可能にする。【解決手段】装置はイオンビーム１０４を供給するイオンビーム発生器１０２を含み、イオンビームを受けるスキャニングシステムであって、イオンビームの向かい合った側に位置付けられる第１及び第２のスキャンプレート２０２，２０４であって、イオンビームからスキャンビーム２１２を生成し、スキャンビームはスキャン源及び見掛けのスキャン源を有する、第１及び第２のスキャンプレートを含み、電極２０６は、スキャンビームを受け、電極の少なくとも１部は、見掛けのスキャン源の位置を実質的に維持するための湾曲形状を有する。【選択図】図２
2020161485.tif 000002
【特許請求の範囲】
【請求項１】
イオンビームを供給するイオンビーム発生器と、
前記イオンビームの向かい合った側に位置付けられる第１及び第２のスキャンプレート
を含み、前記イオンビームを受けるスキャニングシステムであって、前記第１及び第２の
スキャンプレートは前記イオンビームからスキャンビームを生成し、該スキャンビームは
スキャン源及び見掛けのスキャン源を有する、スキャニングシステムと、
前記スキャンビームを受ける電極であって、該電極の少なくとも１部は、前記見掛けの
スキャン源の位置を実質的に維持するための湾曲形状を有する、電極と、を備える、装置
。
【請求項２】
前記電極は、前記スキャニングシステムの下流にあり、前記スキャニングシステムの前
記第１及び第２のスキャンプレートに直接、隣接して、位置付けられる、請求項１に記載
の装置。
【請求項３】
前記電極は、前記スキャニングシステムの下流にある、請求項１に記載の装置。
【請求項４】
前記第１及び第２のスキャンプレートは、平行部分及び該平行部分の下流にある分岐部
分を備える、請求項１に記載の装置。
【請求項５】
前記電極の上流に位置付けられる、スキャン前の電極を更に備える、請求項１に記載の
装置。
【請求項６】
前記スキャンビームは扇形のビームエンベロープを有し、該扇形のビームエンベロープ
は、前記スキャン源において始まり、前記電極により受けられ、前記見掛けのスキャン源
は前記スキャン源を重ね合わせる、請求項１に記載の装置。
【請求項７】
イオンビームを発生するステップと、
前記イオンビームを受け、スキャンビームを前記イオンビームから供給するステップで
あって、前記スキャンビームはスキャン源及び見掛けのスキャン源を有する、ステップと
、
湾曲電極により前記スキャンビームを受けるステップであって、前記スキャンビームが
前記湾曲電極を通過するときに、前記スキャンビームの前記見掛けのスキャン源の位置は
実質的に維持される、ステップと、を有する、方法。
【請求項８】
スキャニングシステムは、前記イオンビームの向かい合った側に位置付けられる第１及
び第２のスキャンプレートを備え、前記イオンビームを受けて、前記イオンビームから前
記スキャンビームを供給する、請求項７に記載の方法。
【請求項９】
前記第１及び第２のスキャンプレートは、平行部分及び該平行部分の下流にある分岐部
分を備える、請求項８に記載の方法。
【請求項１０】
前記スキャンビームの前記スキャン源及び前記見掛けのスキャン源は、前記第１及び第
２のスキャンプレートの間に位置付けられる、請求項８に記載の方法。
【請求項１１】
前記スキャンビームは扇形のビームエンベロープを有し、該扇形のビームエンベロープ
は、前記スキャン源において始まり、前記見掛けのスキャン源は前記スキャン源を重ね合
わせる、請求項８に記載の方法。
【請求項１２】
イオンビームを供給するイオンビーム発生器と、
前記イオンビームを受けるスキャニングシステムであって、
前記イオンビームの向かい合った側に位置付けられる第１及び第２のスキャンプレート
であって、前記イオンビームからスキャンビームを生成し、該スキャンビームはスキャン
源及び見掛けのスキャン源を有する、第１及び第２のスキャンプレートと、
該第１及び第２のスキャンプレートの上流に配置され、前記イオンビームを減速する、
減速レンズと、を含む、スキャニングシステムと、
前記スキャンビームを受ける電極であって、該電極の少なくとも１部は、前記見掛けの
スキャン源の位置を実質的に維持するための湾曲形状を有する、電極と、を備える、装置
。
【請求項１３】
前記電極は、前記スキャニングシステムの下流にあり、前記スキャニングシステムの前
記第１及び第２のスキャンプレートに直接、隣接して、位置付けられる、請求項１２に記
載の装置。
【請求項１４】
前記電極の上流に配置される、スキャン前の電極を更に備える、請求項１２に記載の装
置。
【発明の詳細な説明】
【技術分野】
【０００１】
本発明は、イオン注入に関し、より詳しくはスキャン後の抑制電極を有するイオン注入
機に関する。
【背景技術】
【０００２】
イオン注入は、導電性を半導体ウェーハに導入するための標準技術である。所望の不純
物材料は、イオン源でイオン化することができ、イオンは、所定のエネルギーのイオンビ
ームを形成するために、加速することができ、イオンビームはウェーハの前面へ向けるこ
とができる。ビームのエネルギーイオンは、半導体材料の大部分の中へ浸透し、半導体材
料の結晶格子の中へ埋め込まれ、所望の導電率の領域を形成する。
【０００３】
イオン注入機は、イオンビームをウェーハの前面にわたり分布させるために、少なくと
も１つの方向にスキャン周波数でイオンビームを偏向させ又はイオンビームでスキャンす
るためのスキャナを含むことができる。スキャナは、当技術分野で周知のように、静電ス
キャナ又は磁気スキャナにすることができる。イオンビームは、ビームスキャニングだけ
により、又は、ビームスキャニング及びウェーハの動きの組合せにより、ウェーハの領域
にわたり分布させることができる。１つのイオン注入機において、スキャナは１つの方向
にビームスキャンすることができ、駆動システムは、イオンビームをウェーハの前面にわ
たり分布させるために、スキャン方向に対して直交方向にウェーハを平行移動させること
ができる。
【０００４】
従来のスキャナは、イオンビーム発生器により供給されるイオンビームの反対側に位置
づけられるスキャンプレートの形状のスキャン電極を含むことができる。スキャン後の電
極はスキャンプレートの下流に位置づけることができ、スキャン前の抑制電極はスキャン
プレートの上流に位置づけることができる。用語「上流に」及び「下流に」は、イオンビ
ームを運ぶ方向を基準とする。したがって、スキャン後の電極はスキャンプレートと角度
補正器との間に位置づけ、スキャン前の抑制電極はスキャンプレートとイオンビーム発生
器との間に位置づける。
【発明の概要】
【発明が解決しようとする課題】
【０００５】
スキャンプレートは１次元のイオンビームでスキャンして、偏向領域及びスキャン後の
抑制の下流の軌跡がほぼ直線である、扇形のビームエンベロープを供給する。これらの直
線は、後ろへ延ばすことができ、１点に交差する。その点は、実際のスキャン源であると
言える。スキャンプレートにより処理されるイオンビームは、スキャン後の電極により受
ける。従来のスキャナは、平坦なスキャン後の電極を用いる。平坦なスキャン後の電極は
、見掛けのスキャン源の望ましくないシフトを引き起こす。見掛けのスキャン源は、実際
のスキャン源と同じ、又は、ほぼ同じであるべきである。実際のスキャン源と比較して、
見掛けのスキャン源の望ましくない下流のシフトは、平坦なスキャン後の電極に関連する
ビームの屈折により引き起こされる。見掛けのスキャン源のシフトは、ビームの平行を達
成するのに必要なより高いコリメータ場を強制する。より高いコリメータ場は、ビーム角
の望ましくない変化を動作させ、線量測定精度及び他のプロセスパラメータを低下させる
。
【０００６】
したがって、スキャンプレートにより供給される扇形のビームエンベロープのスキャン
源をシフトしないイオン注入機のニーズがある。
【課題を解決するための手段】
【０００７】
本概要は、以下の詳細な説明に記載されるよりも更に簡略化した形式でコンセプトの選
択を導入するために、提供される。本概要は、特許請求の範囲の主題の肝要な特徴又は本
質的特徴を同定することを意図するものではなく、特許請求の範囲の主題の範囲を決定す
る助けを意図するものでもない。
【０００８】
一実施態様において、イオンビームを供給するイオンビーム発生器を含む装置が提供さ
れる。スキャニングシステムは前記イオンビームを受け、スキャンビームを供給してもよ
い。電極は前記スキャンビームを受けてもよい。前記電極の少なくとも１部は前記スキャ
ンビームの伝播方向に垂直である。一実施態様において、前記スキャンビームの前記伝播
方向に垂直である前記電極の少なくとも１部は湾曲形状を有する。
【０００９】
別の実施態様において、イオンビームを供給するイオンビーム発生器を含む装置が提供
される。スキャニングシステムは前記イオンビームを受け、スキャンビームを供給しても
よい。電極は前記スキャンビームを受けてもよい。前記電極の少なくとも１部は湾曲形状
を有する。
【００１０】
さらに別の実施態様において、イオンビームを発生する方法が提供される。該方法は、
前記イオンビームを受け、スキャンビームを前記イオンビームから供給し、電極により前
記スキャンビームを受けるステップであって、前記電極の少なくとも１部は前記スキャン
ビームの伝播方向に垂直である、ステップと、を更に含んでもよい。
【００１１】
別の実施態様において、装置はイオンビームを供給するイオンビーム発生器を含んでも
よい。さらに、前記装置は、前記イオンビームを受けるスキャニングシステムであって、
前記イオンビームの向かい合った側に位置付けられる第１及び第２のスキャンプレートで
あって、前記イオンビームからスキャンビームを生成し、該スキャンビームはスキャン源
及び見掛けのスキャン源を有する、第１及び第２のスキャンプレートを含む、スキャニン
グシステムを含んでもよい。電極は前記スキャンビームを受けてもよく、該電極の少なく
とも１部は、前記見掛けのスキャン源の位置を実質的に維持するための湾曲形状を有する
。一実施態様において、減速レンズは、前記第１及び第２のスキャンプレートの上流に配
置されてもよい。
【００１２】
別の実施態様において、方法は、イオンビームを発生するステップと、前記イオンビー
ムを受け、スキャンビームを前記イオンビームから供給するステップであって、前記スキ
ャンビームはスキャン源及び見掛けのスキャン源を有する、ステップと、を含んでもよい
。方法は、さらに、湾曲電極により前記スキャンビームを受けるステップであって、前記
スキャンビームが前記湾曲電極を通過するときに、前記スキャンビームの前記見掛けのス
キャン源の位置は実質的に維持される、ステップを含んでもよい。
【図面の簡単な説明】
【００１３】
【図１】例示的実施形態によるイオン注入システムの簡易ブロック図である。
【図２】図１に例示するイオン注入システムのさらなる詳細を例示する略ブロック図である。
【図３】イオンビームを処理するための一連の例示的動作を例示する。
【発明を実施するための形態】
【００１４】
例示的実施形態を組み込むイオン注入システム１００の簡易ブロック図を図１に示す。
イオンビーム発生器１０２は、所望の種のイオンビーム１０４を発生することができ、イ
オンビーム１０４のイオンを所望のエネルギーへ加速することができ、エネルギー及び質
量汚染物質を除去するためにイオンビーム１０４の質量／エネルギー分析を実施すること
ができ、低レベルのエネルギー及び質量汚染物質を有するイオンビーム１０４を供給する
ことができる。スキャニングシステム１０６は、スキャナ１０８及び角度補正器１１０を
含むことができる。スキャニングシステム１０６は、スキャンするイオンビーム１０４を
作るために、イオンビーム１０４を偏向する。エンドステーション１１４は、所望の種の
イオンが半導体ウェーハ１１６に注入されるように、スキャンするイオンビーム１１２の
経路の半導体ウェーハ１１６又は他のワークピースを支持する。イオン注入システム１０
０は、当業者に周知の追加のコンポーネントを含むことができる。例えば、エンドステー
ション１１４は、ウェーハをイオン注入システム１００に導入し、注入後にウェーハを除
去するための自動ウェーハハンドリング装置、ドーズ測定システム、電子フラッド銃など
を含むことができる。
【００１５】
図２は、図１に例示するイオン注入システム１００のさらなる詳細を例示する略ブロッ
ク図である。特に、スキャニングシステム１０６の追加の詳細を図２に例示する。スキャ
ニングシステム１０６は、スキャンプレート２０２及び２０４の形状のスキャン電極を含
むことができる。スキャンプレート２０２及び２０４はイオンビーム１０４の向かい合っ
た側に位置付けられる。スキャンプレート２０２及び２０４は、平行部分及び平行部分の
下流にある分岐部分を含む。
【００１６】
スキャニングシステム１０６は、スキャンプレート２０２及び２０４の下流にあるスキ
ャン後の電極２０６を更に含むことができる。例示されるように、スキャン後の電極２０
６は成形される。一実施形態において、スキャン後の電極２０６は湾曲形状もしくは弧状
形状を有し、又は、スキャン後の電極２０６の少なくとも１部は湾曲形状もしくは弧状形
状を有する。例えば、スキャン後の電極２０６は、ほぼ直線部分及び湾曲部分を有するこ
とができる。スキャン後の電極２０６は、スキャン後の抑制電圧発生器２１６に連結する
ことができる。一実施形態において、スキャン後の電極２０６は、スキャンプレート２０
２及び２０４に直接、隣接して、位置付けられる。
【００１７】
さらに、スキャニングシステム１０６は、スキャン前の電極２０８を含むことができる
。スキャン前の電極２０８は、スキャンプレート２０２及び２０４の上流である。スキャ
ン前の電極２０８は、スキャン前の抑制電圧発生器２１０に連結することができる。減速
レンズ２０８ａは、スキャン前の電極２０８の下流又は上流に位置付けることができる。
減速レンズ２０８ａは、イオンビーム１０４がもっと平行になる又は収束するように、イ
オンビーム１０４を減速するために設計された、４極減速レンズにすることができる。一
実施形態において、減速レンズ２０８ａ及びスキャン前の電極２０８は１つの部材に統合
される。
【００１８】
スキャン前の電極２０８は、イオンビーム１０４が通過するためのアパーチャを含むこ
とができる。スキャン前の電極２０８のアパーチャは、スパッタリング及びウェーハの汚
染を最小にするために、利用することができる。スキャン前の電極２０８のアパーチャに
関連する大きさは、スキャンプレート２０２及び２０４の方への電子の移動を制御しなが
ら、スパッタリングを最小にするのに十分なイオンビーム１０４のための間隔を提供する
ために、選択することができる。スキャン前の電極２０８はスキャン前の抑制電圧発生器
２１０に連結することができる。
【００１９】
スキャンプレート２０２及び２０４は、扇形のビームエンベロープ２１２を供給するよ
うに機能することができる。例示されるように、扇形のビームエンベロープ２１２は、ビ
ームエンベロープ２１２がスキャンプレート２０２及び２０４を通過するにつれて、幅に
おいて、増大する。スキャンプレート２０２及び２０４は、扇形のビームエンベロープ２
１２から、比較的、一定の間隔を維持するように、成形される。通常、扇形のビームエン
ベロープ２１２は、実際のスキャン源２１４において始まる。以下に説明するように、少
なくとも湾曲形状又は弧状形状を有するスキャン後の電極２０６の使用により、見掛けの
スキャン源２１４ａを実際のスキャン源２１４の同じ位置にほぼ維持する。一実施形態に
おいて、見掛けのスキャン源２１４ａは実際のスキャン源２１４を重ね合わせる。
【００２０】
扇形のビームエンベロープ２１２がスキャン後の電極２０６を通過するときに、見掛け
のスキャン源２１４ａを実際のスキャン源２１４とほぼ同じ位置に維持することは、有益
であり得る。一実施形態において、扇形のビームエンベロープ２１２は、スキャン後の電
極２０６の少なくとも湾曲又は弧状部分を通過する。例示の湾曲形状又は弧状形状を有す
るスキャン後の電極２０６の使用により、扇形のビームエンベロープ２１２がスキャン後
の電極２０６を通過するときに、実際のスキャン源２１４及び見掛けのスキャン源２１４
ａが同じ又はほぼ同じままであることを確実にする。扇形のビームエンベロープ２１２の
伝播方向に垂直である形状（例えば、湾曲形状）を有するスキャン後の電極２０６の使用
により、スキャン源２１４に比較して、見掛けのスキャン源２１４ａの屈折シフトを有利
に避けることができる。言い換えれば、湾曲形状又は弧状形状を有するスキャン後の電極
２０６を使用しないで、むしろ、平坦な形状を有する従来のスキャン後の電極を使用すれ
ば、見掛けのスキャン源２１４ａのシフトが生じるであろう。見掛けのスキャン源のその
ようなシフトは、実際のスキャン源２１４の下流に見られ、見掛けのスキャン源のそのよ
うなシフトは、エンドステーション１１４において、ビームの平行を達成するのに必要な
より高いコリメータ場を不必要に強制する。より高いコリメータ場は、ビーム角の望まし
くない変化を動作させ得て、線量測定精度及び他のプロセスパラメータを低下させる。
【００２１】
他の優位性は、湾曲形状又は弧状形状を有するスキャン後の電極２０６を使用すること
により、実現される。例えば、湾曲形状又は弧状形状を有するスキャン後の電極２０６の
使用により、従来のスキャニングシステムで用いられるものに比べて、スキャンプレート
２０２及び２０４並びにスキャン後の電極２０６に、顕著に、より高い電圧の使用を可能
にする。もっと詳しくは、従来のスキャニングシステムのスキャンプレート及びスキャン
後の電極に印加される電圧は、見掛けのスキャン源２１４ａに不必要なシフトを引き起こ
し得る。したがって、従来のスキャニングシステムは、見掛けのスキャン源２１４ａのシ
フトに対して軽減するために、望ましいスキャンプレート及びスキャン後の電圧より低い
電圧を用いることが要求され得る。比較すると、湾曲形状又は弧状形状を有するスキャン
後の電極２０６の形状により、スキャンプレート２０２及び２０４並びにスキャン後の電
極２０６に、大きな電圧の使用を可能にし、大きな電圧の使用は見掛けのスキャン源２１
４ａを実質的に変更しない。一例において、スキャン後の抑制電圧発生器２１６は、最大
で９ｋＶまでの電圧を、スキャン後の電極２０６に印加することができ、一方、見掛けの
スキャン源２１４ａは、スキャン源２１４とほぼ同じ位置のままである。
【００２２】
図３は、イオンビームを処理するための一連の例示的動作３００を例示する。一連の例
示的動作は、図１〜２に例示するイオン注入システム１００などのイオン注入システムに
より実施することができる。ブロック３０２において、イオンビームが発生される。ブロ
ック３０４において、イオンビームが受けられ、スキャンビームがイオンビームから供給
される。ブロック３０６において、スキャンビームが電極により受けられる。電極は、ス
キャンビームの伝播方向に垂直である部分を有する。一実施形態において、電極は湾曲形
状又は弧状形状を有する。
【００２３】
扇形のビームエンベロープの伝播方向に垂直である形状（例えば、湾曲形状）を有する
スキャン後の電極の使用により、スキャン源に比較して、見掛けのスキャン源の屈折シフ
トを有利に避けることができる。言い換えれば、湾曲形状又は弧状形状を有するスキャン
後の電極を使用しないで、むしろ、平坦な形状を有する従来のスキャン後の電極を使用す
れば、見掛けのスキャン源のシフトが生じるであろう。他の優位性は、湾曲形状又は弧状
形状を有するスキャン後の電極を使用することにより、実現される。例えば、湾曲形状又
は弧状形状を有するスキャン後の電極の使用により、従来のスキャニングシステムで用い
られるものに比べて、スキャンプレート及びスキャン後の電極に、顕著に、より高い電圧
の使用を可能にする。
【００２４】
例示的イオン注入装置及び方法が開示されるが、本願の特許請求の範囲の精神及び範囲
から逸脱することなく、様々な変更をすることができ、均等物で代用することができるこ
とは、当業者には理解されるであろう。特許請求の範囲から逸脱することなく、特定の状
態又は材料を上記に開示した教示に適合するために、他の修正をすることができる。した
がって、特許請求の範囲は、開示された特定の実施形態のいずれかに限定されるものと解
釈すべきではなく、特許請求の範囲内にある任意の実施形態にあると解釈すべきである。
【図１】
2020161485.tif 000003
【図２】
2020161485.tif 000004
【図３】
2020161485.tif 000005
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
扇形のビームエンベロープとしてスキャンビームを受けて送るスキャン後の電極を備える、イオン注入システムの装置であって、
前記スキャンビームは見掛けのキャン源を画定し、
前記スキャン後の電極の少なくとも一部は前記見掛けのスキャン源の位置を維持するための湾曲形状を有する、イオン注入システムの装置。
【請求項２】
前記扇形のビームエンベロープは実際のキャン源を画定し、前記見掛けのスキャン源は前記実際のスキャン源を重ね合わせる、請求項１に記載のイオン注入システムの装置。
【請求項３】
前記スキャン後の電極は弧状形状を有する、請求項１に記載のイオン注入システムの装置。
【請求項４】
前記スキャン後の電極は扇形のビームエンベロープに垂直な形状を画定する、請求項１に記載のイオン注入システムの装置。
【請求項５】
前記スキャン後の電極は、最大で９ｋＶまでの電圧を受けるように連結され、一方、前記見掛けのスキャン源は、実際のスキャン源とほぼ同じ位置のままである、請求項１に記載のイオン注入システムの装置。      
【請求項６】
前記スキャン後の電極は、直線部分及び湾曲部分を有する、請求項１に記載のイオン注入システムの装置。
【請求項７】
前記湾曲部分は、前記イオンビームが前記スキャンビームの伝播方向に垂直であるように配置される、請求項６に記載のイオン注入システムの装置。
【請求項８】
前記スキャン後の電極は、スキャニングシステムからスキャンイオンビームを受けるように構成される、請求項１に記載のイオン注入システムの装置。
【請求項９】
前記スキャン後の電極は、前記スキャニングシステムのスキャンプレートに直接、隣接して配置されるように構成される、請求項８に記載のイオン注入システムの装置。
【請求項１０】
前記スキャン後の電極は、平坦な形状を有する従来のスキャン後の電極より高い電圧で動作するように構成される、請求項１に記載のイオン注入システムの装置。
【手続補正３】
【補正対象書類名】明細書
【補正対象項目名】０００８
【補正方法】変更
【補正の内容】
【０００８】
一実施態様において、イオンビームを供給するイオンビーム発生器を含む装置が提供され、スキャニングシステムは前記イオンビームを受け、スキャンビームを供給してもよく、電極は前記スキャンビームを受けてもよい。前記電極の少なくとも１部は前記スキャンビームの伝播方向に垂直である。一実施態様において、前記スキャンビームの前記伝播方向に垂直である前記電極の少なくとも１部は湾曲形状を有する。
【手続補正４】
【補正対象書類名】明細書
【補正対象項目名】００１９
【補正方法】変更
【補正の内容】
【００１９】
スキャンプレート２０２及び２０４は、扇形のビームエンベロープ２１２を供給するように機能することができる。例示されるように、扇形のビームエンベロープ２１２は、扇形のビームエンベロープ２１２がスキャンプレート２０２及び２０４を通過するにつれて、幅において、増大する。スキャンプレート２０２及び２０４は、扇形のビームエンベロープ２１２から、比較的、一定の間隔を維持するように、成形される。通常、扇形のビームエンベロープ２１２は、実際のスキャン源２１４において始まる。以下に説明するように、少なくとも湾曲形状又は弧状形状を有するスキャン後の電極２０６の使用により、見掛けのスキャン源２１４ａを実際のスキャン源２１４の同じ位置にほぼ維持する。一実施形態において、見掛けのスキャン源２１４ａは実際のスキャン源２１４を重ね合わせる。
【手続補正５】
【補正対象書類名】明細書
【補正対象項目名】００２０
【補正方法】変更
【補正の内容】
【００２０】
扇形のビームエンベロープ２１２がスキャン後の電極２０６を通過するときに、見掛けのスキャン源２１４ａを実際のスキャン源２１４とほぼ同じ位置に維持することは、有益であり得る。一実施形態において、扇形のビームエンベロープ２１２は、スキャン後の電極２０６の少なくとも湾曲又は弧状部分を通過する。例示の湾曲形状又は弧状形状を有するスキャン後の電極２０６の使用により、扇形のビームエンベロープ２１２がスキャン後の電極２０６を通過するときに、実際のスキャン源２１４及び見掛けのスキャン源２１４ａが同じ又はほぼ同じままであることを確実にする。扇形のビームエンベロープ２１２の伝播方向に垂直である形状（例えば、湾曲形状）を有するスキャン後の電極２０６の使用により、実際のスキャン源２１４に比較して、見掛けのスキャン源２１４ａの屈折シフトを有利に避けることができる。言い換えれば、湾曲形状又は弧状形状を有するスキャン後の電極２０６を使用しないで、むしろ、平坦な形状を有する従来のスキャン後の電極を使用すれば、見掛けのスキャン源２１４ａのシフトが生じるであろう。見掛けのスキャン源のそのようなシフトは、実際のスキャン源２１４の下流に見られ、見掛けのスキャン源のそのようなシフトは、エンドステーション１１４において、ビームの平行を達成するのに必要なより高いコリメータ場を不必要に強制する。より高いコリメータ場は、ビーム角の望ましくない変化を動作させ得て、線量測定精度及び他のプロセスパラメータを低下させる。
【手続補正６】
【補正対象書類名】明細書
【補正対象項目名】００２１
【補正方法】変更
【補正の内容】
【００２１】
他の優位性は、湾曲形状又は弧状形状を有するスキャン後の電極２０６を使用することにより、実現される。例えば、湾曲形状又は弧状形状を有するスキャン後の電極２０６の使用により、従来のスキャニングシステムで用いられるものに比べて、スキャンプレート２０２及び２０４並びにスキャン後の電極２０６に、顕著に、より高い電圧の使用を可能にする。もっと詳しくは、従来のスキャニングシステムのスキャンプレート及びスキャン後の電極に印加される電圧は、見掛けのスキャン源２１４ａに不必要なシフトを引き起こし得る。したがって、従来のスキャニングシステムは、見掛けのスキャン源２１４ａのシフトに対して軽減するために、望ましいスキャンプレート及びスキャン後の電圧より低い電圧を用いることが要求され得る。比較すると、湾曲形状又は弧状形状を有するスキャン後の電極２０６の形状により、スキャンプレート２０２及び２０４並びにスキャン後の電極２０６に、大きな電圧の使用を可能にし、大きな電圧の使用は見掛けのスキャン源２１４ａを実質的に変更しない。一例において、スキャン後の抑制電圧発生器２１６は、最大で９ｋＶまでの電圧を、スキャン後の電極２０６に印加することができ、一方、見掛けのスキャン源２１４ａは、実際のスキャン源２１４とほぼ同じ位置のままである。
【手続補正７】
【補正対象書類名】図面
【補正対象項目名】図２
【補正方法】変更
【補正の内容】
【図２】
2020161485.tif 000006
【外国語明細書】
2020161485000001.pdf